(57)【特許請求の範囲】
【請求項１】
第１の筐体と、
前記第１の筐体に回動部を介して回動可能に結合され、投射口より画像を投射する第２の筐体とを有し、
前記第２の筐体は、
吸気口および排気口と、
前記吸気口と前記排気口を結んで前記第２の筐体内に形成される冷却風路と、
前記第２の筐体内において前記吸気口から空気を取り入れて前記排気口から空気を排気して冷却を行う冷却手段である送風機と、
レーザ光を出力する第１のレーザ光源および第２のレーザ光源および第３のレーザ光源と、
前記第１のレーザ光源の放熱を行う第１の放熱部および前記第２のレーザ光源の放熱を行う第２の放熱部および前記第３のレーザ光源の放熱を行う第３の放熱部と、
前記第１乃至第３のレーザ光源を保持しこれらレーザ光源の熱が伝熱される本体筐体とを備え、
前記第１乃至第３のレーザ光源のうち、最も温度特性の悪い前記第２のレーザ光源の放熱部である前記第２の放熱部を、前記第１の放熱部および前記第３の放熱部よりも、前記冷却風路の上流側に配置することを特徴とする画像表示装置。
【請求項２】
請求項１に記載の画像表示装置であって、
前記第１乃至第３のレーザ光源のうち、最も発熱量の多い前記第１のレーザ光源の放熱部である前記第１の放熱部を、前記第３の放熱部よりも、前記冷却風路の上流側に配置することを特徴とする画像表示装置。
【発明の詳細な説明】
【技術分野】
【０００１】
本発明は半導体レーザを用いたレーザ光源装置を搭載した画像表示装置に関するものである。
【背景技術】
【０００２】
近年、大画面表示が可能な画像表示装置の光源として、レーザ光に注目が集まっており、このレーザ光を形成するための半導体レーザの技術開発が進んでいる。画像表示装置の光源として従来から用いられる超高圧水銀ランプ（ＵＨＰランプ）や、小型画像表示装置で最近用いられている発光ダイオード（ＬＥＤ）と比較すると、半導体レーザ光源を使用した光源は、高い色再現性、瞬時点灯が可能、長寿命、高い電気−光変換効率である等の利点がある。
【０００３】
以下、従来のレーザ光源装置について説明する。従来の光源装置は赤色（Ｒ）レーザ光、青色（Ｂ）レーザ光、緑色（Ｇ）レーザ光を連続発光する短波長レーザ光源の赤色レーザ光源、青色レーザ光源、緑色レーザ光源を有する。赤色レーザ光源、青色レーザ光源は赤色、青色のレーザ光を出射する半導体レーザであり、緑色レーザ光源は半導体レーザのレーザ光を波長変換して緑色のレーザ光を出射する構成である（例えば特許文献１参照）。
【先行技術文献】
【特許文献】
【０００４】
【特許文献１】特開２０１０−３２７９６号公報
【発明の概要】
【発明が解決しようとする課題】
【０００５】
上記従来の画像表示装置は３色のレーザ光を光源とし、高い色再現性のある画像を投射した。しかしながら、従来の画像表示装置は長時間にわたって使用されることにより、投射する画像の画質は劣化した。３つのレーザ光源はそれぞれ異なる温度特性を有し、基本的にレーザ光源の温度上昇は出力低下の要因となる。赤色レーザ光源装置は温度上昇に依存して特に出力低下した。よって、従来の画像表示装置の長時間使用による温度上昇によって、赤色レーザ光源装置の出力は弱まりやすかった。このように３色のうち１色のレーザ光が弱まることによって、従来の画像表示装置は高画質の画像を出力できなかった。
【０００６】
そこで、本発明は、画質劣化を抑制する画像表示装置を提供することを目的とする。
【課題を解決するための手段】
【０００７】
上記目的を達成するために、本発明の画像表示装置は、第１の筐体と、前記第１の筐体に回動部を介して回動可能に結合され、投射口より画像を投射する第２の筐体とを有し、前記第２の筐体は、吸気口および排気口と、前記吸気口と前記排気口を結んで前記第２の筐体内に形成される冷却風路と、前記第２の筐体内において前記吸気口から空気を取り入れて前記排気口から空気を排気して冷却を行う冷却手段である送風機と、レーザ光を出力する第１のレーザ光源および第２のレーザ光源および第３のレーザ光源と、前記第１のレーザ光源の放熱を行う第１の放熱部および前記第２のレーザ光源の放熱を行う第２の放熱部および前記第３のレーザ光源の放熱を行う第３の放熱部と、前記第１乃至第３のレーザ光源を保持しこれらレーザ光源の熱が伝熱される本体筐体とを備え、前記第１乃至第３のレーザ光源のうち、最も温度特性の悪い前記第２のレーザ光源の放熱部である前記第２の放熱部を、前記第１の放熱部および前記第３の放熱部よりも、前記冷却風路の上流側に配置する構成とした。
【発明の効果】
【０００８】
本発明の画像表示装置は以上のように構成されるため、送風機は第１のレーザ光源と第３のレーザ光源との放熱部の熱を吸収する前に、第２のレーザ光源の放熱部を冷却できる。すなわち、最も温度特性が悪い第２のレーザ光源の放熱部は最も優先して冷却される。これにより、第２のレーザ光源の放熱は特に促進される。すなわち、第２のレーザ光源の温度上昇は特に抑制される。これにより、画像表示装置が長時間にわたって使用されても第２のレーザ光源の出力低下は抑制されるため、３色のレーザ光の出力を安定して得ることができる。また、吸入口と送風機を画像表示装置本体と一体の筐体内に搭載したので外気をロス無く効率良く放熱に利用できるし、冷却風路が短縮できるため各レーザ光源の放熱部の放熱も良好に行うことができる。したがって、画像表示装置が投射する画像の画質劣化を抑制することができる。
【図面の簡単な説明】
【０００９】
【図１】本発明の実施例における画像表示装置本体の概略斜視図
【図２】本発明の実施例における画像表示装置のチルト状態の概略斜視図
【図３】本発明の実施例における画像表示装置の内部構成を示す概略斜視図
【図４】本発明の実施例における画像表示装置の内部組立を示す概略組立図
【図５】本発明の実施例における画像表示装置の冷却風路の一例を示す図
【図６】本発明の実施例における各色レーザ光源装置の使用温度と光出力の関係を示す図
【図７】本発明の実施例における画像表示装置を電子機器に取り付けたときの一例を示す図
【発明を実施するための形態】
【００１２】
本発明における請求項１記載の発明は、第１の筐体と、前記第１の筐体に回動部を介して回動可能に結合され、投射口より画像を投射する第２の筐体とを有し、前記第２の筐体は、吸気口および排気口と、前記吸気口と前記排気口を結んで前記第２の筐体内に形成される冷却風路と、前記第２の筐体内において前記吸気口から空気を取り入れて前記排気口から空気を排気して冷却を行う冷却手段である送風機と、レーザ光を出力する第１のレーザ光源および第２のレーザ光源および第３のレーザ光源と、前記第１のレーザ光源の放熱を行う第１の放熱部および前記第２のレーザ光源の放熱を行う第２の放熱部および前記第３のレーザ光源の放熱を行う第３の放熱部と、前記第１乃至第３のレーザ光源を保持しこれらレーザ光源の熱が伝熱される本体筐体とを備え、前記第１乃至第３のレーザ光源のうち、最も温度特性の悪い前記第２のレーザ光源の放熱部である前記第２の放熱部を、前記第１の放熱部および前記第３の放熱部よりも、前記冷却風路の上流側に配置する構成とした画像表示装置に関する。
【００１３】
本発明における請求項１記載の発明によれば、回動可能な可動体内に送風機と３つのレーザ光源等を取り付けているので送風経路が短縮でき、また、この画像表示装置をＰｅｒｓｏｎａｌ  Ｃｏｍｐｕｔｅｒ等に取り付けて回動させて使用する場合でも回動体は外部にあり、どのような回動位置でも外気空気を吸入し即利用するので効率良く冷却に用いることができる。これにより、画像表示装置が長時間にわたって使用されても第１のレーザ光源または第２のレーザ光源の出力低下は抑制されるため、３色のレーザ光の出力を安定して得ることができる。したがって、画像表示装置が投射する画像の画質劣化を抑制することができる。
【００１４】
本発明における請求項２記載の発明は、前記第１乃至第３のレーザ光源のうち、最も発熱量の多い前記第１のレーザ光源の放熱部である前記第１の放熱部を、前記第３の放熱部よりも、前記冷却風路の上流側に配置する構成としたことを特徴とする画像表示装置に関する。
【００１５】
本発明における請求項２記載の発明によれば、送風機は第３のレーザ光源の放熱部の熱を吸収する前に、第１のレーザ光源の放熱部を冷却できる。すなわち、最も発熱量の多い第１のレーザ光源は第３のレーザ光源より優先して放熱される。第１のレーザ光源の放熱を促進することにより、第１のレーザ光源の発熱が第２または第３のレーザ光源の温度上昇を助長することを抑制することができる。
【実施例】
【００２０】
以下、本発明の画像表示装置について図面を用いて説明する。なお、以下に述べる実施例は、本発明の好適な具体例であり、技術的に良好な条件の限定が記載されているが、本発明の範囲は、以下の説明において特に本発明を限定する記載が無い限り、これらの条件に限られるものでは無い。
【００２１】
（実施例１）
以下、本発明の実施例について、図面を用いて説明する。
【００２２】
まず、画像表示装置本体の構成について図１を用いて説明する。図１は、本発明の実施例における画像表示装置本体の概略斜視図である。
【００２３】
図１において、画像表示装置本体１００はレーザ光を光源とし、スクリーンに拡大化して投影する。画像表示装置本体１００の光源は緑色レーザ光源装置１（第１のレーザ光源）と、赤色レーザ光源装置２（第２のレーザ光源）と、青色レーザ光源装置３（第３のレーザ光源）との３つであり、３色のレーザ光源装置１〜３によって画像を表示する。
【００２４】
緑色レーザ光源装置１は非可視光である赤外基本レーザ光を半波長に変換することで、主として緑色レーザ光を出力する。緑色レーザホルダ１ａは緑色レーザ光源装置の筐体であると共に、緑色レーザホルダ１ａに格納される各素子（例えば、赤外基本レーザ光を出力する半導体レーザ（第１のレーザ素子）等）を固定する。
【００２５】
赤色レーザ光源装置２は赤色レーザ光を出力し、赤色レーザホルダ２ａを筐体とする。赤色レーザホルダ２ａは赤色レーザ光を出力する半導体レーザ（第２のレーザ素子）を保持する。
【００２６】
青色レーザ光源装置３は青色レーザ光を出力し、青色レーザホルダ３ａを筐体とする。青色レーザホルダ３ａは青色レーザ光を出力する半導体レーザ（第３のレーザ素子）を保持する。
【００２７】
ここで、緑色レーザ光源装置１、赤色レーザ光源装置２、青色レーザ光源装置３の配置について詳細に説明する。青色レーザ光源装置３は、本体筐体２００における投射レンズ４を保持した面に設け、青色レーザ光源装置３からのレーザ光を本体筐体２００の内部に導いている。
【００２８】
また、投射レンズ４、青色レーザ光源装置３が設けられている面に垂直かつ、青色レーザ光源装置３が設けられている側の面に、緑色レーザ光源装置１、赤色レーザ光源２を設けている。
【００２９】
ここで、本体筐体２００は、投射レンズ４、青色レーザ光源装置３が設けられている面を緑色レーザ光源装置１が設けられている方に延長するように突起部２０１を設けている。つまり、本体筐体２００の角部に突起部２０１を本体筐体２００と一体化して設けている。なお、突起部２０１は、本体筐体２００と別部材で設けても良いが、一体で設けることで放熱を行いやすくなり好ましい。
【００３０】
また、緑色レーザ光源装置１の内部にあるＳＨＧ（Ｓｅｃｏｎｄ  ｈａｒｍｏｎｉｃ  ｇｅｎｅｒａｔｉｏｎ）素子、半導体レーザ等の素子を固定している緑色レーザホルダ１ａの固定面１ｂを上記突起部２０１の面２０１ａに接するようにしている。面２０１ａは突起部２０１における固定面１ｂと接する面である。
【００３１】
また、緑色レーザ光源装置１は、本体筐体２００の面２０２に直接熱を伝えないようにするため本体筐体２００の面２０２には接しておらず、所定の隙間（本実施例では、０．５ｍｍ以下）を設けてあり、さらに赤色レーザ光源装置２とは、赤色レーザ光源装置２の光軸調整幅を０．３ｍｍ程度必要であったため、緑色レーザ光源装置１と赤色レーザ光源装置２の隙間は０．３ｍｍ以上を設けてある。
【００３２】
なお、本実施例において所定の隙間を０．５ｍｍ以下としたのは、所定の隙間を大きくとると画像表示装置全体が大きくなったり、また緑色レーザ光源装置１とコリメータレンズ（図示せず）との距離が大きくなり、コリメータレンズに到達する前に緑色レーザ光が拡散し、光の利用効率が悪くなるためである。
【００３３】
こうすることで、後述するが緑色レーザ光源装置１からの熱を、赤色レーザ光源装置２に伝わりにくくすることができ、温度特性の悪い赤色レーザ光源装置２を安定的に使用することができる。
【００３４】
光路誘導手段としてのダイクロイックミラー５および光路誘導手段としてのダイクロイックミラー６は表面に所定の波長のレーザ光を透過あるいは反射させるための膜を形成して構成される。
【００３５】
７はフィールドレンズであり、拡散されたレーザ光を収束レーザに変換する。８はＰＢＳ（Ｐｏｌａｒｉｚｅｄ  Ｂｅａｍ  Ｓｐｒｉｔｔｅｒ）であり、各色レーザ光を反射させ、空間変調素子９に当てる。
【００３６】
空間変調素子９は、各色レーザ光の偏向を調整し、画像形成を行う。今回使用した空間変調素子９は反射型の液晶である。
【００３７】
そして、投射レンズ４を通過して、大画面の画像を投射する。
【００３８】
また、各色レーザ光源装置１〜３からの各色レーザ光は各コリメータレンズによってそれぞれ平行光束され、平行光束された各色レーザ光はダイクロイックミラー５および６によって拡散板に導かれ、拡散板、フィールドレンズ７、ＰＢＳ８の順に介し、空間変調素子９で反射し、投射レンズ４によって拡大化されてスクリーン上に投影される。
【００３９】
図２は、本発明の実施例における画像表示装置のチルト状態の概略斜視図である。図２に示すように、画像表示装置１０は固定部２０とチルト部３０とにより構成されている。チルト部３０はヒンジ部（回動軸）２５を軸にして固定部２０に対して回動可能である。すなわち、チルト部３０は、画像表示装置本体１００からの画像の投射方向および冷却ファン２３（図３参照）による冷却風の吸気方向Ａ（図３参照）に対して垂直となる軸を中心に回動可能であり、投射レンズ４の投射角度が調節可能である。ヒンジ部（回動軸）２５を中心として冷却ファン２３（図３参照）と画像表示装置本体１００（図１、図３参照）等を搭載したチルト部３０は上下方向に回動する。このため、投射レンズ４によって投射された画像が画像表示装置１０の設置面に反射することを抑制することができる。
【００４０】
次に図３〜図５を用いて、画像表示装置１０の内部構成の概要について説明する。
【００４１】
図３は、本発明の実施例における画像表示装置の内部構成を示す概略斜視図である。図３に示すように、チルト部３０には、図１を用いて説明した画像表示装置本体１００、冷却ファン２３やフィン等が格納されている。なお、図３〜図５に示す冷却ファン２３は、円筒部内に図示しない送風ファンを有している。
【００４２】
チルト部３０の上面２１には複数の吸気口２１ａが設けられている。そして、チルト部３０の側面３１には、複数の排気口３１ａが設けられ、チルト部３０の側面３２には、複数の排気口３２ａが設けられている。また、チルト部３０の側面３１には、画像を投射するための投射口３３が設けられ、投射レンズ４はこの投射口３３より画像表示装置１０の外部に露出する。この冷却ファン２３から放出される空気を冷却空気として、以下説明する。
【００４３】
チルト部３０に格納される冷却ファン２３は冷却空気を吸引および放出し、画像表示装置１０の内部の放熱を促進する。冷却ファン２３は電源供給されると回転し、複数の吸気口２１ａ側より画像表示装置１０の外部から冷却空気を取り入れ、矢印Ａの方向へ冷却空気を送る。この冷却空気は冷却ファン２３とフィン３４の底面３４ｂ（図４参照）との間の空間から排気口３１ａおよび３２ａへと流れて行き、排気口３１ａおよび３２ａより排気される。チルト部３０に格納される各色レーザ光源装置１〜３の放熱部はこの冷却空気の冷却風路上に配置されているため、各色レーザ光源装置１〜３からの放熱は促進される。ここで、冷却風路の吸気口２１ａ側を上流とし、冷却風路の排気口３１ａおよび３２ａ側を下流とする。
【００４４】
なお、本実施例１において、吸気口２１ａ、排気口３１ａおよび３２ａはそれぞれ複数設けられているが、単数でも良い。吸気口２１ａと排気口３１ａおよび３２ａの形状は円形でも楕円形でも多角形でも良く、特に限定するものでは無い。
【００４５】
また、本実施例１ではチルト部３０の上面に吸気口２１ａを設けているが、チルト部３０の下面に吸気口を設けて、冷却ファンの取り付けおよびフィンの形状を変えて必要な冷却風路を構成しても良い。
【００４６】
冷却ファン２３は吸気口２１ａの下（吸気口２１ａの垂直方向）に配置され、フィン３４の底面３４ｂ（図４参照）と間隔を空けるように吸気口２１ａが設けてある面に取り付けられている。すなわち、冷却ファンは吸気口２１ａとフィン３４の底面３４ｂとの間に取り付けられている。
【００４７】
図４は、本発明の実施例における画像表示装置の内部組立を示す概略組立図である。赤色レーザ光源装置２は各色レーザ光源装置１〜３（図１参照）の中で一般的に最も温度特性が悪い。フィン３４は熱伝導性の高い部材で形成され、赤色レーザ光源装置２の放熱部であり、赤色レーザ光源装置２の放熱を補助する。フィン３４は赤色レーザ光源装置２に接続して設けられるため、赤色レーザ光源装置２の発熱はフィン３４に伝熱する。フィン３４は冷却ファン２３より放出される冷却空気によって冷却される。これにより、赤色レーザ光源装置２の放熱を促進することができる。また、フィン３４は放熱面積（表面積）が大きくなるような構造であり、冷却ファン２３からの冷却空気をより広い面積で受けることができる。このため、赤色レーザ光源装置２の放熱性を向上させることができる。
【００４８】
フィン３４の本体３４ａはＬ字型の形状をしており、フィン底面３４ｂと、赤色レーザホルダ２ａへの取付部３４ｃとにより構成される。取付部３４ｃは赤色レーザホルダ２ａに密着するように取り付けられ、赤色レーザホルダ２ａに取り付けられた赤色レーザ光源装置の放熱を兼ねている。
【００４９】
フィン底面３４ｂは図示しない導電性シート等を介して図３に示すチルト部３０の筐体底部に接している。そのため、図４に示す赤色レーザホルダ２ａに取り付けられた赤色レーザ光源装置において発生する熱は、図３の冷却ファン２３によって送り込まれる冷却空気によって放熱されるだけで無く、チルト部３０の筐体底部を介して、外部へと放熱される。このため、赤色レーザ光源装置２の放熱性をさらに向上させることができる。
【００５０】
なお、図４には図示していないが、フィン底面３４ｂの端部には、図３に示すように、冷却ファン２３の側面のうち、画像表示装置本体１００に面していない側面に相対する側壁をさらに設けても良い。この場合には、図４に示す赤色レーザホルダ２ａに取り付けられた赤色レーザ光源装置において発生し、フィン３４の取付部３４ｃおよびフィン底面３４ｂを介して図３に示すフィン３４の側壁にまで伝導した熱が、冷却ファン２３から送風される冷却空気により放熱される。すなわち、図４に示す赤色レーザ光源装置のさらなる放熱の促進が期待できる。
【００５１】
また、赤色レーザホルダ２ａとフィン３４とは別体としたが、熱伝導性を向上させるために一体化しても良い。一体化することにより、赤色レーザ光源装置２は放熱を行いやすくなる。このように、外気を赤色レーザ光源装置２の放熱部であるフィン３４に直接導く構成になっているので、より効果的に放熱を行うことができる。
【００５２】
図５は、本発明の実施例における画像表示装置の冷却風路の一例を示す図である。図３において冷却ファン２３により複数の吸気口２１ａを介して画像表示装置１０の外部から矢印Ａの方向へ取り込まれた冷却空気は、図５に示すように、矢印Ｂ〜矢印Ｃ〜矢印Ｄへの流路と、および矢印Ｅへの流路とに分かれる。
【００５３】
先ほども説明したように、フィン３４は赤色レーザ光源装置２の放熱部であり、赤色レーザ光源装置２の放熱を補助する。そして、フィン３５は熱伝導性の高い部材で形成され、緑色レーザ光源装置１の放熱部であり、緑色レーザ光源装置１の放熱を補助する。さらに、フィン３５も同様に放熱面積（表面積）が大きくなるような構造であり、緑色レーザ光源装置１の放熱性を向上させることができる。以上より、フィン３５は緑色レーザ光源装置１の放熱を促進する。
【００５４】
フィン３６は熱伝導性の高い部材で形成され、画像表示装置本体１００の（特に、各色レーザ光源装置１〜３）の放熱部であり、画像表示装置本体１００の放熱を補助する。フィン３６は高段部３６ａと低段部３６ｂとを備え、段差が設けられる階段構造である。低段部３６ｂは画像表示装置本体１００（例えば、空間変調素子９）に電気的に接続するためのスペースを確保するために設けられる。なお、空間変調素子９は制御基板２２と電気的に接続することにより、制御基板２２は空間変調素子９を制御できる。これにより、ＰＣ３００が出力したい画像を形成することができる。すなわち、画像表示装置本体１００はＰＣ３００が出力したい画像を投射することができる。
【００５５】
高段部３６ａの画像表示装置本体１００側の面は全て本体筐体２００に接する。一方、低段部３６ｂの画像表示装置本体１００側の面は少なくとも一部が本体筐体２００に接し、この接する面は高段部３６ａ側である。
【００５６】
このように、低段部３６ｂと本体筐体２００とが接する面を限定したのは、空間変調素子９を積極的に冷却しないためである。空間変調素子９は各色レーザ光源装置１〜３のように温度を単純に低くすれば良いのでは無く、所定範囲の温度を維持することが好ましい。例えば、空間変調素子９の温度が５０℃以上になると、投射レンズ４より投射された画像に投射するつもりの無い焼き付きが発生する可能性がある。また、空間変調素子９の温度が５〜１０℃程度になると、空間変調素子９の反射率が低下する。よって、これは投影する画像の画質に影響を与える。
【００５７】
そこで、本実施例の画像表示装置１０は空間変調素子９を積極的に冷却しないために、低段部３６ｂと、少なくとも空間変調素子９と対向する部分の本体筐体２００とは接しない構成とした。これにより、必要以上に空間変調素子９が冷却されることを抑制することができる。
【００５８】
なお、本実施例１においては本体筐体２００とフィン３６とは別体としたが、熱伝導性を向上させるために一体とする方が好ましい。一体化することにより、本体筐体２００、すなわち各色レーザ光源装置１〜３は放熱を行いやすくなる。
【００５９】
次に、各色レーザ光源装置１〜３の放熱経路について詳細に説明する。また、これらの放熱経路に基づいて、本実施例における画像表示装置１０の放熱性が向上することについても説明する。
【００６０】
緑色レーザ光源装置１（図１参照）における発熱部（赤外基本レーザ光を出力する半導体レーザ等）の発熱は、まず緑色レーザホルダ１ａに伝えられる。この緑色レーザホルダ１ａに伝えられた熱は冷却風路に接する面より放熱される。また、冷却空気で冷却されるフィン３５は低温であるため、本体筐体２００の内部に伝えられた熱はフィン３５に伝えられやすい。そして、このフィン３５に伝えられた熱は、冷却ファン２３から矢印Ｂ〜矢印Ｃ〜矢印Ｄへの流路を通る冷却空気によって放熱する。
【００６１】
赤色レーザ光源装置２における発熱部（赤色レーザ光を出力する半導体レーザ等）の発熱は、まず赤色レーザホルダ２ａに伝えられる。この赤色レーザホルダ２ａに伝えられた熱はフィン３４に伝えられる。フィン３４は冷却風路上に設けられるため、このフィン３４に伝えられた熱は冷却空気により吸収される。冷却空気の流路は、冷却ファン２３から矢印Ｅへの流路を主とするものであっても良いし、冷却ファン２３から矢印Ｂ〜矢印Ｃ〜矢印Ｄへの流路と併用しても良い。
【００６２】
青色レーザホルダ３ａに内蔵された青色レーザ光源装置（図１参照）における発熱部（青色レーザ光を出力する半導体レーザ等）の発熱は、青色レーザホルダ３ａに伝えられる。青色レーザホルダ３ａは冷却風路上に設けられるため、この青色レーザホルダ３ａに伝えられた熱は、冷却ファン２３から矢印Ｂ〜矢印Ｃ〜矢印Ｄへの流路を通る冷却空気により吸収される。
【００６３】
なお、当然のことながら、青色レーザホルダ３ａにフィンを設けても良いし、フィン３４〜３６の構造は剣山状でも階層状でも良く特に限定するものでは無い。
【００６４】
また、各色レーザ光源装置１〜３（図１参照）の放熱は本体筐体２００およびフィン３６も利用する。各色レーザホルダ１ａ〜３ａは本体筐体２００と接しているため、各色レーザ光源装置１〜３（図１参照）の発熱は本体筐体２００に伝熱する。さらに、フィン３６は本体筐体２００に接しているため、本体筐体２００の放熱を行う。なお、高段部３６ａおよび低段部３６ｂは共にチルト部３０とも接する。すなわち、フィン３６はチルト部３０にも放熱できる。
【００６５】
次に、吸気口２１ａと排気口３１ａおよび３２ａとの間に形成される冷却風路（放熱流路）について説明する。
【００６６】
冷却風路とは吸引口２１ａより吸引された空気が排気口３１ａおよび３２ａより排気されるまでの空気の道のりである。
【００６７】
チルト部３０に取り付けられた冷却ファン２３は、吸入口２１ａ（図３参照）より外気を吸入し、矢印Ａ方向（図３参照）に冷却空気を取り込む。冷却ファン２３からの冷却空気は赤色レーザホルダ２ａと接続しているフィン３４を直接冷却して赤色レーザ光源装置から発熱する熱を冷却する。
【００６８】
先ほども述べたように、本実施例１は２つの冷却風路を備える。第１の冷却風路は、冷却ファン２３から矢印Ｂ，Ｃ，Ｄの順に導かれ、最終的に排気口３１ａより排気される。第２の冷却風路は、冷却ファン２３から矢印Ｅに導かれ、最終的に排気口３２ａより排気される。この２つの冷却風路に介在する各色レーザ光源装置の放熱部を冷却空気が冷却することにより、各色レーザ光源装置の放熱は促進される。すなわち、各色レーザ光源装置の温度上昇は抑制される。以下、この２つの冷却風路について説明する。
【００６９】
上記説明したように、冷却ファン２３は矢印Ａの方向に冷却空気を吸入し、フィン３４を冷却した後、この冷却空気はガイド２４によって矢印Ｂおよび矢印Ｅの方向に導かれる。冷却風路は矢印Ｂの方向と矢印Ｅの方向とに分岐される。ここで、矢印Ｂの方向に進む冷却風路を第１の分岐路とし、矢印Ｅの方向に進む冷却風路を第２の分岐路とする。
【００７０】
まず、冷却空気が矢印Ｂの方向（第１の分岐路）に進むときについて説明する。チルト部３０内にはガイド３７を設けており、ガイド３７は矢印Ｂの方向に導かれた冷却空気を矢印Ｃの方向に導く。これにより、冷却空気はまずフィン３５に到達し、フィン３５を冷却する。次に、冷却空気は投射レンズ４とフィン３５との間に設けられる青色レーザホルダ３ａに内蔵された青色レーザ光源装置３（図１参照）を冷却し、排気口３１ａより（矢印Ｄの方向に）排出される。以上のように、矢印Ａ，Ｂ，Ｃ，Ｄの順に第１の冷却風路は形成され、冷却空気はこの第１の冷却風路上に介在する部材の熱を吸収する。
【００７１】
次に、冷却空気が矢印Ｅの方向（第２の分岐路）に進むときについて説明する。矢印Ｅの方向に進む冷却空気は排気口３２ａに導かれる冷却空気である。この冷却空気はフィン３６を冷却することで、画像表示装置本体１００の放熱を促進する。フィン３６の熱を吸収した冷却空気は排気口３２ａより放出される。
【００７２】
以上説明したように、第１の冷却風路は矢印Ａ，Ｂ，Ｃ，Ｄの順となり、第２の冷却風路は矢印Ａ，Ｅの順となる。したがって、第１の冷却風路を流れる冷却空気は赤色レーザホルダ２ａに内蔵された赤色レーザ光源装置２（図１参照）の放熱部（フィン３４）、緑色レーザホルダ１ａに内蔵された緑色レーザ光源装置１（図１参照）の放熱部（フィン３５）、青色レーザホルダ３ａに内蔵された青色レーザ光源装置３（図１参照）の放熱部（青色レーザホルダ３ａ）の順に冷却し、第２の冷却風路を流れる冷却空気は赤色レーザ光源装置２の放熱部（フィン３４）とフィン３６（画像表示装置本体１００）を冷却する。すなわち、各色レーザ光源装置の放熱は、赤色レーザホルダ２ａに内蔵された赤色レーザ光源装置２（図１参照）、緑色レーザホルダ１ａに内蔵された緑色レーザ光源装置１（図１参照）、青色レーザホルダ３ａに内蔵された青色レーザ光源装置３（図１参照）の順に優先される。これにより、画像表示装置１０の画質劣化を抑制することができる。
【００７３】
また、後述するように緑色レーザ光源装置１は一般的に最も必要な電流値が大きいし、電気から光に変換する効率が悪いので最も発熱量が大きい。
【００７４】
そこで本実施例では、各色レーザ光源装置の中で一般的に最も温度特性が悪い赤色レーザ光源装置２の放熱部の次に優先して緑色レーザ光源装置１の放熱部を冷却するように、画像表示装置１０では冷却風路は形成される。つまり、緑色レーザ光源装置１は青色レーザ光源装置３よりも優先的に冷却される。すなわち、青色レーザ光源装置３の放熱部の熱を吸収する前の冷却空気で緑色レーザ光源装置１の放熱部（フィン３５）を冷却するように構成されている。
【００７５】
したがって、青色レーザ光源装置３の放熱部を緑色レーザ光源装置１や赤色レーザ光源装置２の放熱部の冷却風路下流側に設置することも同様な効果が発揮できる。
【００７６】
すなわち、温度特性の良好な青色レーザ光源装置３の放熱部を冷却風路下流に設置したために、上流に位置する他のレーザ光源の廃熱の影響を受けても青色レーザ光源装置３は温度特性が良好なのでレーザの特性の変動を最小限に抑えることができる。
【００７７】
また、青色レーザ光源装置３の放熱部を冷却風路下流側に設置することで熱の上流側への拡散を防ぎ、他より少ないながら、青色レーザ光源装置３（図１参照）より発せられる熱が、発熱量の多い緑色レーザ光源装置１（図１参照）や温度特性の悪い赤色レーザ光源装置２に与える影響を最小限に抑えることができる。
【００７８】
また、青色レーザ光源装置３の放熱部を冷却風路下流に設置するということでは、レーザ光源装置の配置次第で、吸入口・冷却ファン・赤色レーザ光源装置２・青色レーザ光源装置３・排気口の順の冷却風路と吸入口・冷却ファン・緑色レーザ光源装置１・青色レーザ光源装置３・排気口の順の冷却風路との２経路に分けた場合も上述した同様な効果を有する。同様に、吸入口・冷却ファン・赤色レーザ光源装置２・排気口の順の冷却風路と吸入口・冷却ファン・緑色レーザ光源装置１・排気口の順の冷却風路との２経路に分けた場合でも上述した同様な効果を有する。
【００７９】
以下、各色レーザ光源装置の放熱部の順列を上記のようにした理由について図６を用いて詳細に説明する。
【００８０】
図６は、本発明の実施例における各色レーザ光源装置の使用温度と光出力の関係を示す図である。
【００８１】
まず、赤色レーザ光源装置２（図１参照）が最も優先的に放熱される理由について、より詳細に説明する。先にも述べたように、赤色レーザ光源装置２は各色レーザ光源装置１〜３の中で一般的に最も温度特性が悪い。ここで言う温度特性とは各色レーザ光源装置で最低必要光出力以上の光出力が得られる温度範囲を示した特性を言う。
【００８２】
各色レーザ光源装置１〜３は異なる温度特性を有する。図６に示す特性図より、各色レーザ光源装置１〜３は基本的に高温側では温度が上昇することにより、これらの光出力は低下し、これらの中でも特に赤色レーザ光源装置２の出力が早く低下する。このため、赤色レーザ光源装置２の使用上限温度が他のレーザ光源装置に比べて低いので赤色レーザ光源装置２の温度上昇を優先的に抑制することが好ましい。
【００８３】
したがって本実施例１は、図５に示すように、チルト部３０の冷却ファン２３の近傍に、赤色レーザホルダ２ａに内蔵された赤色レーザ光源装置２（図１参照）の放熱部となるフィン３４を設ける。すなわち、赤色レーザ光源装置２の放熱部であるフィン３４は、冷却風路に介在する各色レーザ光源装置１〜３の放熱部において、最も上流側に設けられる。これにより、チルト部３０内に導かれた冷却空気は、緑色レーザホルダ１ａに内蔵された緑色レーザ光源装置１（図１参照）の放熱部であるフィン３５、画像表示装置本体１００（図１参照）の放熱部であるフィン３６および青色レーザホルダ３ａを冷却する前に、赤色レーザホルダ２ａに内蔵された赤色レーザ光源装置２（図１参照）の放熱部となるフィン３４を冷却する。すなわち、この冷却空気はフィン３５およびフィン３６、またはチルト部３０内の他の部材の熱を吸収する前にフィン３４を冷却する。さらに、フィン３４は矢印ＢとＥとに分岐される前の大きい容量の冷却空気で冷却される。このように冷却風路を形成することで、赤色レーザ光源装置２の放熱部（フィン３４）は優先的に冷却される。したがって、最も温度特性の悪い赤色レーザ光源装置２（図１参照）の出力低下を優先的に抑制することができる。よって、画像表示装置本体１００（図１参照）は安定して高画質の画像を出力することができる。
【００８４】
次に、再び図６を用いて、赤色レーザ光源装置２（図１参照）の次に緑色レーザ光源装置１（図１参照）の放熱が優先される理由について説明する。
【００８５】
緑色レーザ光源装置１（図１参照）と青色レーザ光源装置３（図１参照）の温度特性は図６から判るようにレーザ光源使用温度の上限がほぼ同じ温度である。しかし、各色レーザ光源装置１〜３の中で緑色レーザ光源装置１（図１参照）は一般的に最も必要な電流値が大きい。また上述の通り、緑色レーザ光源装置１（図１参照）は赤外基本レーザ光を変換することで、主として緑色レーザ光を出力する。すなわち、半導体レーザより出射されたレーザ光が緑色レーザ光に変換されるまで様々な素子（例えば、ＳＨＧ素子）を経由する。これにより、光のロスが発生するため、赤色レーザ光源装置２（図１参照）および青色レーザ光源装置３（図１参照）に比べて、緑色レーザ光源装置１（図１参照）が電気を光に変換する効率は悪い。つまり、緑色レーザ光源装置１は赤色レーザ光源装置２（図１参照）および青色レーザ光源装置３（図１参照）に比べて、所定の出力量を出すために必要な電力量が大きい。このため、各色レーザ光源装置の中で緑色レーザ光源装置１（図１参照）は一般的に最も発熱量が大きい。したがって、緑色レーザ光源装置１（図１参照）の発熱が突起部２０１（図１参照）に伝わり（すなわち、本体筐体２００（図１参照）に伝わり）、赤色レーザ光源装置２（図１参照）および青色レーザ光源装置３（図１参照）の温度上昇を促す可能性がある。このとき、赤色レーザ光源装置２（図１参照）および青色レーザ光源装置３（図１参照）の出力低下は助長される。
【００８６】
そこで、本実施例では、図５に示すように、赤色レーザ光源装置２（図１参照）の次に優先して緑色レーザ光源装置１（図１参照）を冷却するように、画像表示装置１０は構成されると共に冷却風路は形成される。つまり、緑色レーザ光源装置１（図１参照）は青色レーザ光源装置３（図１参照）よりも優先的に冷却される。すなわち、青色レーザ光源装置３（図１参照）の熱を吸収する前の冷却空気で緑色レーザ光源装置１（図１参照）の放熱部（フィン３５）は冷却される。
【００８７】
なお、図５に示すように、回動可能な可動体（チルト部３０）内に送風機と３つのレーザ光源等を取り付けているので、この画像表示装置をパーソナルコンピュータ（以下「ＰＣ」）等に取り付けて回動させて使用する場合でも回動体は外部にあり、どのような回動位置でも外気空気を吸入し即ロス無く利用できる。そして、固定部２０に送風機を設置してチルト部３０に冷却風を取り込む風路を形成する装置の場合と比較して、固定部２０とチルト部３０の冷却風路の接続を考慮せずに冷却風路の距離を短くしているので効率良く冷却することができる。これにより、画像表示装置が長時間にわたって使用されても緑色レーザ光源装置や赤色レーザ光源装置の出力低下は抑制されるため、３色のレーザ光の出力を安定して得ることができる。
【００８８】
また、送風機は緑色のレーザ光源と青色のレーザ光源との放熱部の熱を吸収する前に、赤色のレーザ光源の放熱部を冷却できる。すなわち、最も温度特性が悪い赤色のレーザ光源の放熱部は最も優先して冷却される。これにより、赤色のレーザ光源の放熱は特に促進される。すなわち、赤色のレーザ光源の温度上昇は特に抑制される。これにより、画像表示装置が長時間にわたって使用されても赤色のレーザ光源の出力低下は抑制されるため、３色のレーザ光の出力を安定して得ることができる。また、吸入口と送風機を画像表示装置本体と一体の筐体内に搭載したので外気をロス無く効率良く放熱に利用できるし、冷却風路が短縮できるため各レーザ光源の放熱部の放熱も良好に行うことができる。
【００８９】
図７は、本発明の実施例における画像表示装置を電子機器に取り付けたときの一例を示す図である。本実施例１の画像表示装置１０は、単体として使用されても良いが、図７に示すように、電子機器であるＰＣ３００に取り付けても良い。画像表示装置１０は必要に応じてＰＣ３００に出し入れ可能であり、ＰＣ３００のディスプレイ上の出力をスクリーンや壁等に投射可能である。このため、ＰＣ３００に別途画像表示装置を有線等で接続すること無く、ＰＣ３００のディスプレイ上の出力を容易に大画面出力することができる。チルト部３０内に冷却ファン２３と画像表示装置本体１００等の表示装置として必要な部材を搭載したので、例えば、ＰＣ３００に取り付けた場合には、チルト部３０のみ必要最小限引き出すだけにしても良い。この場合には、作業に必要なスペースを広く取る必要がないというメリットがある。
【００９０】
なお、画像表示装置１０のＰＣ３００への取り付け位置は、図７に示した右側面に限定されるものでは無く、左側面や後側面そして前面等に取り付けても良い。
【００９１】
画像表示装置１０をＰＣ３００（電子機器）に取り付ける場合、チルト部３０は自由に回動できるようにＰＣ３００の外部に突出していれば良い。よって、固定部２０の少なくとも一部がＰＣ３００に固定されれば良く、側面３１に対向する面側をＰＣ３００に固定しても良い。
【００９２】
なお、ＰＣ３００以外で電子機器の例としては、テレビや、ディスプレイ、光ディスクプレイヤ、およびポータブル光ディスクプレイヤ等があり、画像を表示するものであれば、何でも良い。また、これら以外にも、電気機器（例えば、冷蔵庫や洗濯機等の家電機器）の情報を外部に投射するために、この電気機器に画像表示装置１０を搭載しても良い。
【００９３】
以上より、本実施例の画像表示装置は各色レーザ光源装置の温度特性および発熱量を考慮して構成されると共に、冷却風路を形成する。このため、長時間の使用による画像表示装置の画質劣化は抑制される。すなわち、画像表示装置は投射する画像の画質劣化を抑制することができ、安定して高画質の画像を出力可能である。
【産業上の利用可能性】
【００９４】
本発明の画像表示装置は、光源であるレーザ光の出力低下を抑制するため、長時間安定して高画質の画像を投射可能な装置として適用可能である。
【符号の説明】
【００９５】
１    緑色レーザ光源装置
１ａ    緑色レーザホルダ
２    赤色レーザ光源装置
２ａ    赤色レーザホルダ
３    青色レーザ光源装置
３ａ    青色レーザホルダ
４    投射レンズ
５、６    ダイクロイックミラー
７    フィールドレンズ
８    ＰＢＳ
９    空間変調素子
１０    画像表示装置
２０    固定部
２１    上面
２１ａ    吸気口
２３    冷却ファン
２４    ガイド
２５    ヒンジ部（回動軸）
３０    チルト部
３１、３２    側面
３１ａ、３２ａ    排気口
３３    投射口
３４、３５、３６    フィン
３４ａ    本体
３４ｂ    フィン底面
３４ｃ    取付部
３６ａ    高段部
３６ｂ    低段部
３７    ガイド
１００    画像表示装置本体
２００    本体筐体
２０１    突起部
２０１ａ、２０２    面
３００    ＰＣ
【要約】
【課題】本発明は、画質劣化を抑制する画像表示装置を提供することを目的とする。
【解決手段】本発明の画像表示装置は、吸気口２１ａと排気口３１ａまたは３２ａとを有する筐体内において吸気口２１ａと排気口３１ａまたは３２ａを結んで形成される冷却風路と、この冷却風路内に介在させる冷却ファン２３と、冷却風路内に、少なくともその放熱部が配置される各色レーザ光源装置１〜３とを備え、各色レーザ光源装置１〜３のうち、最も温度特性の悪い赤色レーザ光源装置２の放熱部３４を、緑色レーザ光源装置１および青色レーザ光源装置３よりも、冷却風路の上流側に配置する構成とした。
【選択図】図３【図１】
0004720956.tif 000002
【図２】
0004720956.tif 000003
【図６】
0004720956.tif 000004
【図３】
0004720956.tif 000005
【図４】
0004720956.tif 000006
【図５】
0004720956.tif 000007
【図７】
0004720956.tif 000008